(57)【要約】【課題】構成が簡素でしかも製作が容易であり、安価に提供できる変流器支持装置及びスイッチギヤを提供する。【解決手段】それぞれ一端部に第１の接続部４１ａと他端部に第２の接続部４１ｂとを有し、互いに離間して平板直線形状に並設された３本の導体４１と、前記３本の導体を前記一端部及び前記他端部の間で一体的に絶縁支持する変流器ケース４２とを備え、前記変流器ケース４２は、前記３本の導体のうち少なくとも２本の導体に対応する位置に形成され、前記導体を挿通させるように構成されたリング状の変流器コイル４３を装着する変流器装着部４２ａを備え、前記変流器ケース４２と、前記変流器装着部４２ａに装着された前記変流器コイル４３とが硬化性絶縁材料によって一体化されていることを特徴とする。
2015064118.tif 000002
【特許請求の範囲】
【請求項１】
それぞれ一端部に第１の接続部と他端部に第２の接続部とを有し、互いに離間して直線形状に並設された３本の導体と、前記３本の導体を前記一端部及び前記他端部の間で一体的に絶縁支持する変流器ケースとを備え、前記変流器ケースは、前記３本の導体のうち少なくとも２本の導体に対応する位置に形成され、前記導体を挿通させるように構成されたリング状の変流器コイルを装着する変流器装着部を備え、前記変流器ケースと、前記変流器装着部に装着された前記変流器コイルとが硬化性絶縁材料によって一体化されていることを特徴とする変流器支持装置。
【請求項２】
前記変流器ケースは、更に前記変流器装着部より電源側に配置され、前記３本の導体を一括して挿通させるように構成されたリング状の零相変流器コイルを装着する零相変流器装着部を備え、前記零相変流器装着部に装着された前記零相変流器コイルと前記変流器ケースとが硬化性絶縁材料によって一体化されていることを特徴とする請求項１に記載の変流器支持装置。
【請求項３】
前記変流器ケースの前端面に、長穴状に形成された凹所を有するブッシング装着部が設けられ、このブッシング装着部に、前記導体を挿通させると共に前記導体を絶縁支持するブッシングを着脱可能に装着するようにしたことを特徴とする請求項１または請求項２に記載の変流器支持装置。
【請求項４】
前記ブッシングは、それぞれ３本の導体の周りを個別に包囲する導体包囲部と、前記導体包囲部の底面部分に設けられ前記ブッシング装着部への装着の際に前記導体を挿通させる貫通孔と、前記導体包囲部の周囲に複数個設けられたひだ部を備えたことを特徴とする請求項３に記載の変流器支持装置。
【請求項５】
前記導体の外周面と前記ブッシングに設けられた前記貫通孔の内周面との間に隙間が形成されるようにしたことを特徴とする請求項４に記載の変流器支持装置。
【請求項６】
前記変流器ケースは、３相の各導体に対応して並設されている変流器装着部を備えたことを特徴とする請求項１から３のいずれか１項に記載の変流器支持装置。
【請求項７】
筐体と、前記筐体の内部に引出形の電気機器を収容する収容部と、前記収容部の後方部に、前記電気機器の背面部に設けられた接続端子に対向するように設置されて、前記電気機器の出し入れに伴う移動によって前記接続端子に対して離接する導体を有する請求項１から請求項６の何れか１項に記載の変流器支持装置と、を備えたことを特徴とするスイッチギヤ。
【請求項８】
前記収容部は前記筐体の内部に上下方向多段に設けられ、それぞれの収容部内の電気機器には三相分の３本の導体によって構成される接続端子を備えることを特徴とする請求項７に記載のスイッチギヤ。
【請求項９】
前記三相分の３本の導体は電気機器の背面部の上下に分離されて一対設けられており、前記変流器支持装置は上段の電気機器の上側の接続端子および下段の電気機器の下側の接続端子にそれぞれ対応した位置に設けたことを特徴とする請求項８に記載のスイッチギヤ。
【発明の詳細な説明】
【技術分野】
【０００１】
この発明は、引出形遮断器などの電気機器の背面との対向部に設置され、その電気機器の引出し方向の移動により、その背面に設けられた一対の三相端子と接離する一対の三相分の接触端子を有する変流器支持装置及びその変流器支持装置を用いたスイッチギヤに関するものである。
【背景技術】
【０００２】
スイッチギヤの電路に流れる電流を計測する変流器（以下、ＣＴという）は、重要な機器である一方で、スイッチギヤのコンパクト化が求められる際には、ＣＴの収納場所を省スペースとすることが課題の一つとなっている。従来の技術として、電気機器を引出し可能に収容しその電気機器の背面との対向部に、この電気機器の引出し方向の移動により、その背面に設けられた一対の三相端子と接離する一対の三相分の接触端子を有するスイッチギヤであって、前記三相分の接触端子を構成する３本の導体は、絶縁物により一体にモールドされており、これら３本の導体のうち少なくとも２本にはそれぞれＣＴが装着され、且つ前記絶縁物による所定の絶縁距離を介して収束された３本の導体の収束部外側には零相変流器（以下、ＺＣＴという）が装着されており、これらＣＴ及びＺＣＴは、前記絶縁物中に一体にモールドされたものがある（例えば、特許文献１参照）。
【先行技術文献】
【特許文献】
【０００３】
【特許文献１】特開２００５−１３７１４７号公報（第１頁、図１、図２）
【発明の概要】
【発明が解決しようとする課題】
【０００４】
スイッチギヤには種々のタイプのものがあるが、遮蔽部材によって物理的に区分したコンパートメント内に各機器を配置した保護等級の高いタイプ（ＭＷ形、ＰＷ形）と、上記遮蔽部材を使用しない保護等級の低いタイプ（ＣＷ形）とに大別される。このスイッチギヤにおいては、遮断器などの引出形電気機器の端子と嵌合するための電路（導体）を絶縁・支持すると共に、上記電路（導体）に印加される電磁反発力による荷重に耐えるブッシングが使用されている。また、上記ブッシングは遮断器などの引出形電気機器と、その他のコンパートメント、例えば主母線室、ケーブル室などを遮蔽する効果があることも知られており、上記スイッチギヤに要求される保護等級に応じて適宜組み込まれる。【０００５】
ところが、従来の特許文献１のような技術の場合、異なるスイッチギヤに遮断器を共用しようとすると、遮断器室とその他のコンパートメントとの遮蔽の要求がない保護等級の低いもの（ＣＷ形）にも、遮蔽の機能を付加したブッシングを用いることとなるため、コスト増の問題があった。更に、上記ブッシングはＣＴとＺＣＴとの一体モールドにより製作されているため、このブッシングの大量生産が必要な場合には、一体モールドの型数を増やさなければならないなどの問題点があった。【０００６】
この発明は上記のような従来技術の課題を解消するためになされたものであり、必要な機能を満足しつつ構成が簡素でしかも製作が容易であり、安価に提供できる、３相分の導体と変流器を一体的に絶縁支持した変流器支持装置及びその変流器支持装置を用いたスイッチギヤを提供することを目的としている。なお、本明細書において、「変流器」は特に区別している場合を除いて、ＣＴとＺＣＴを包括した上位概念を意味している。
【課題を解決するための手段】
【０００７】
この発明に係る変流器支持装置は、それぞれ一端部に第１の接続部と他端部に第２の接続部とを有し、互いに離間して並設された３本の導体と、前記３本の導体を前記一端部及び前記他端部の間で一体的に絶縁支持する変流器ケースとを備え、前記変流器ケースは、前記３本の導体のうち少なくとも２本の導体に対応する位置に形成され、前記導体を挿通させるように構成されたリング状の変流器コイルを装着する変流器装着部を備え、前記変流器ケースと、前記変流器装着部に装着された前記変流器コイルとが、硬化性絶縁材料によって一体化されていることを特徴とするものである。
また、この発明に係るスイッチギヤは、筐体と、前記筐体の内部に引出形の電気機器を収容する収容部と、前記収容部の後方部に、前記電気機器の背面部に設けられた接続端子に対向するように設置され、前記電気機器の出し入れに伴う移動によって前記接続端子に対して離接する前述の変流器支持装置とから構成されたことを特徴とするものである。
【発明の効果】
【０００８】
この発明の変流器支持装置によれば、導体を絶縁支持する支持部材としての変流器ケースに変流器コイルを装着し、硬化性絶縁材料で一体化するようにしたので、構成が簡素で製作が容易であり、しかも零相変流器の組み込みやブッシングの付設を行う場合にも容易に対応することが可能となり、安価に提供できるという効果が得られる。
また、この発明の変流器支持装置によれば、ブッシングをブッシング装着部に着脱可能に装着できるようにしたので、変流器支持装置を変更することなくブッシングのみを着脱することにより簡単に保護等級の異なるスイッチギヤに対応することができ、また、遮蔽部材のない保護等級の低いタイプ（ＣＷ形）でも、ブッシングを取り付けることにより隣り合うコンパートメントを隔離、遮蔽し、遮蔽部材のあるスイッチギヤと同等の保護効果を持たせることができる。
更に、この発明のスイッチギヤによれば、変流器が変流器支持装置に一体に組み込まれていることで装置の組立が容易になるばかりでなく、零相変流器の組み込みやブッシングの付設を行う場合など種々の形態にも容易に対応できて安価に提供できるという効果が得られる。
【図面の簡単な説明】
【０００９】
【図１】本発明の実施の形態１による変流器支持装置、及びその変流器支持装置を用いたスイッチギヤを概略的に示す図。
【図２】図１に示された変流器支持装置である複合ＣＴ一体３相絶縁サポートを説明する図であり、（ａ）は斜視図、（ｂ）はポッティングによって形成されていることを示す説明図。
【図３】図２に示された複合ＣＴ一体３相絶縁サポートを組み立てる前の支持部材、変流器コイル、及び零相変流器コイルを示す斜視図。
【図４】図２に示された複合ＣＴ一体３相絶縁サポートを示す正面図。
【図５】図２に示された複合ＣＴ一体３相絶縁サポートを示す背面図。
【図６】図４に示されたＶＩ−ＶＩ線における矢視断面図。
【図７】図２に示された複合ＣＴ一体３相絶縁サポートを用いた遮断器室の要部構成を示す斜視図。
【図８】本発明の実施の形態２による変流器支持装置、及びその変流器支持装置を用いたスイッチギヤを概略的に示す側面断面図。
【図９】図８に示されたブッシングを示す斜視図。
【図１０】図８に示されたブッシングを示す図であり、（ａ）は正面図、（ｂ）は背面図。
【図１１】図９に示されたブッシングを複合ＣＴ一体３相絶縁サポートに用いた遮断器室の要部構成を示す斜視図。
【図１２】本発明の実施の形態３による変流器支持装置である複合ＣＴ一体３相絶縁サポートの組立前の支持部材、変流器コイル、及び零相変流器コイルを示す斜視図。
【図１３】図１２に示す複合ＣＴ一体３相絶縁サポートの変形例を示す斜視図。
【図１４】図１２に示す複合ＣＴ一体３相絶縁サポートの他の変形例を示す斜視図。
【発明を実施するための形態】
【００１０】
実施の形態１．
図１は本発明の実施の形態１による変流器支持装置、及びその変流器支持装置を用いたスイッチギヤを概略的に示す図であり、遮蔽部材を使用しない保護等級の低いもの（ＣＷ形）の構成を示している。図中、（ａ）はスイッチギヤの正面図、（ｂ）はスイッチギヤの要部構成を示す側面断面図である。図２は図１に示された変流器支持装置である複合ＣＴ一体３相絶縁サポートを説明する図であり、（ａ）は斜視図、（ｂ）はポッティングによって形成されていることを示す説明図、図３は図２に示された複合ＣＴ一体３相絶縁サポートを組み立てる前の支持部材である変流器ケース、変流器コイル、及び零相変流器コイルを示す斜視図である。
【００１１】
図４及び図５は、図２に示された複合ＣＴ一体３相絶縁サポートを示す正面図及び背面図である。図６は図４に示されたＶＩ−ＶＩ線における矢視断面図、図７は図２に示された複合ＣＴ一体３相絶縁サポートを用いた遮断器室の要部構成を示す斜視図である。図において、スイッチギヤは、金属閉鎖型の筐体１と、筐体１の内部に引出形の電気機器である遮断器２を出し入れ可能に収容する収容部である遮断器室３と、遮断器室３の後方部（図１（ｂ）の右方向側）に、遮断器２の背面部に設けられた接続端子２ａに対向するように設置されて、遮断器２の出し入れに伴う移動によって接続端子２ａに対して離接するように設けられた導体４１（図２に図示）を有する変流器支持装置としての複合ＣＴ一体３相絶縁サポート４を備えている。
【００１２】
なお、図１の例では、遮断器室３は、筐体１の内部の上下２段に積層するように設けられ、遮断器２は合計２台設置されている。遮断器２の接続端子２ａは、三相分の３本の導体によって構成され、その３本の導体は遮断器２の図示していない可動電極側と固定電極側に対応して、上下に分離されて一対設けられている。複合ＣＴ一体３相絶縁サポート４は、上段の遮断器２の上側の接続端子２ａと、下段の遮断器２の下側の接続端子２ａに対応した位置にそれぞれ設けられているが、上下同様の構成であるので、ここでは下側の接続端子２ａに対応された複合ＣＴ一体３相絶縁サポート４について説明する。
【００１３】
複合ＣＴ一体３相絶縁サポート４は、図２、図３に示すように、一端部（図の左下部）に前記接続端子２ａに対する第１の接続部４１ａが設けられ、他端部には図１に示す高圧ケーブル５１に対して電気的に接続される第２の接続部４１ｂが設けられ、互いに離間して並設された平板直線形状の３本の導体４１と、上記３本の導体４１を一端部側の第１の接続部４１ａ及び他端部側の第２の接続部４１ｂの間の中間部分で一体的に絶縁支持する支持部材である変流器ケース４２とを備えている。
【００１４】
上記変流器ケース４２は、例えばガラス基材ポリエステル樹脂等の硬化性絶縁材料の成形品で構成されており、両サイドの２本の導体４１に対応して２か所に形成され、１相の導体４１を１次導体として挿通させるように構成されたリング状の変流器コイル４３を装着する変流器装着部４２ａを備えている。更に必要に応じて、３本の導体４１を一括して挿通させるように構成された長円のリング状の零相変流器コイル４４を装着する零相変流器装着部４２ｂが形成される。前記変流器ケースと、前記変流器装着部に装着された前記変流器コイルとが硬化性絶縁材料によって一体化されている。零相変流器装着部４２bには、図３に示すように零相変流器コイル４４の内周面の一部をサポートする円弧状壁面部４２ｂ１と、直線部の一部をサポートする壁面部４２ｂ２が設けられている。また、その両側面には接地金属（図７の固定フレーム６２）との沿面距離を確保するためのひだ４６が設けられている。
【００１５】
図２（ａ）に示す複合ＣＴ一体３相絶縁サポート４は、前述した図３に示された電路となる導体４１の支持、導体４１の絶縁の機能を持ち、かつ、短絡時の電磁反発力に耐えるだけの強度を有した支持部材である変流器ケース４２に設けられた２か所の変流器装着部４２ａに変流器コイル４３をそれぞれ挿入した後、零相変流器装着部４２ｂに零相変流器コイル４４を入れ、図示していないＣＴ二次巻線、及びＺＣＴ二次巻線の端子部の結線処理などを行った後、支持部材４２の所定の空隙部分に液体状の硬化性絶縁材料を流し込む（ポッティング）ことにより製作された完成品である。図２（ｂ）は図２（ａ）の完成品を構成している部材を模擬的に透視した状態で図示したものである。なお、ポッティングに用いる硬化性絶縁材料は特に限定されるものではなく、材料メーカーなどから市販されている例えば液状レジンのような各種材料から適宜選択して用いることができる。
【００１６】
変流器コイル４３は、変流比（ＣＴ比）の異なるもの、あるいはＣＴ一次電流を広域（例えば５０Ａ〜３０００Ａ）に対応可能なものなどを予め所定種類用意しておき、仕様や要望等に応じて適宜選択して用いるようにすることができる。変流器コイル４３、零相変流器コイル４４は何れも所定の形状の鉄心のまわりにコイルが巻回された状態で予め一体化されている（詳細図示省略）。なお、図２に示す複合ＣＴ一体３相絶縁サポート４の前端面とその前端面の中央部に長穴状に形成された凹所からなるブッシング装着部Ａは、実施の形態２の項において詳細に説明する。
【００１７】
複合ＣＴ一体３相絶縁サポート４は、図７に示すように、遮断器のガイドレール６１と一体に設けられた上下方向に延在する一対の固定フレーム６２の上下方向の中央部分にボルト（図示省略）などにより固定される。なお、固定フレーム６２における複合ＣＴ一体３相絶縁サポート４の上部側には、ＣＴやＺＣＴを設けていない公知の３相絶縁サポート６３が設置される。なお、図１（ｂ）に示すように、スイッチギヤの上段側の遮断器室３については、前記とは逆に、複合ＣＴ一体３相絶縁サポート４が上部側に設けられ、上下方向の中央部分に３相絶縁サポート６３が設置される。
【００１８】
何れの場合も、複合ＣＴ一体３相絶縁サポート４の導体４１の第２の接続部４１ｂは高圧ケーブル５１に対して電気的に接続される。また、３相絶縁サポート６３は、一端部（図７の左側部）に前記接続端子２ａに接離される第１接続部６４ａを有し、他端部に共通母線５２（図１に図示）から分岐された分岐母線５３（図１に図示）に対して電気的に接続される第２接続部６４ｂを有する、互いに離間して並設され絶縁支持された平板状の３本の導体６４を用いて構成されている。複合ＣＴ一体３相絶縁サポート４の導体４１の第１の接続部４１ａ、及び３相絶縁サポート６３の導体６４の第１接続部６４ａは、遮断器２を遮断器室３に挿入し、遮断器室３の最奥部の接続位置に押し込んだときに、遮断器２の背面部に設けられた接続端子２ａに嵌合されるように接続される。
【００１９】
上記のように、実施の形態１における変流器支持装置としての複合ＣＴ一体３相絶縁サポート４は、支持部材４２に設けられた２つの変流器装着部４２ａにそれぞれ変流器コイル４３を装着した後、零相変流器装着部４２ｂに零相変流器コイル４４を装着したので、常に電源側から負荷側に向かって零相変流器ＺＣＴ、変流器ＣＴの順に配置されることになる。このため地絡が発生した際には、電源側から負荷側に流れる地絡電流をＺＣＴが電源側に近い位置で検出されるので、電源側に近いほどＺＣＴの負荷側の領域が増え、ＺＣＴが保護できる領域が増加することとなる。  
【００２０】
なお、複合ＣＴ一体３相絶縁サポート４の導体４１は、前述のように複合ＣＴ一体３相絶縁サポート４の製作時にＣＴ、ＺＣＴと共に一体にして組み付けても良いし、支持部材である変流器ケース４２に変流器コイル４３と零相変流器コイル４４を硬化性絶縁材料で一体的に構成した後に、３本の導体４１を、支持部材４２に対して一体化された変流器コイル４３、及び零相変流器コイル４４に挿通させ、ボルト（図示省略）などで変流器ケース４２に取り付けるようにしても良い。また、前述のようなポッティングによる手法での製作に変えて、これら各構成部材を一体モールドによって製作することもできる。
【００２１】
上記のように、実施の形態１の複合ＣＴ一体３相絶縁サポート４で成る変流器支持装置によれば、導体４１を絶縁支持する支持部材４２としての変流器ケースに変流器コイル４３を装着し、硬化性絶縁材料で一体化するようにしたので、小型で電気的絶縁性や機械的強度を確保するように構成することが容易であり、しかも構成が簡素なので製作が容易である。更に、零相変流器コイルの組み込みやブッシングの付設を行う場合にも容易に対応することが可能となり、安価に提供できるという効果が得られる。また、変流器コイル４３として、ＣＴ一次電流を広域（例えば５０Ａ〜３０００Ａ）に変更可能なものを用いた場合、ＣＴ比の変更が必要な際にも、ＣＴを取り替えることなく、ＣＴ比を変更することができる。
【００２２】
また、上記のように構成された実施の形態１における複合ＣＴ一体３相絶縁サポート４を用いたスイッチギヤによれば、前述の複合ＣＴ一体３相絶縁サポート４と、既存のものと同様の３相絶縁サポート６３を遮断器室３の固定フレーム６２に対して、図７に示すようにボルト（図示省略）で組み付けるだけで、ＣＴ及びＺＣＴの取付けが完了できる。このため、スイッチギヤの組立作業性が改善され、作業時間も短縮できるので、安価に提供できる。また、複合ＣＴ一体３相絶縁サポート４の位置を遮断器の上側端子に嵌合する場合と、下側端子に嵌合する場合とで入れ替えることも容易である。
【００２３】
実施の形態２．
図８は本発明の実施の形態２による変流器支持装置、及びその変流器支持装置を用いたスイッチギヤを概略的に示す側面断面図で、遮蔽部材によって物理的に区分したコンパートメント内に各機器を配置した保護等級の高いタイプ（ＭＷ形、ＰＷ形）のものを示している。図９は図８に示されたブッシングを示す斜視図であり、（ａ）は前面側から見た斜視図、（ｂ）は背面側から見た斜視図である。図１０は図８に示されたブッシングを示す図であり、（ａ）は正面図、（ｂ）は背面図である。
図１１は図９に示されたブッシングを複合ＣＴ一体３相絶縁サポートに用いた遮断器室の要部構成を示す斜視図である。なお、この実施の形態２は、遮断器室とその他のコンパートメントとの間に隔壁などの遮蔽部材を設けて区分する場合に適用できるようにしたものである。図８において、収容部としての遮断器室３は遮蔽部材１１によって他のコンパートメントとの間が区分されて、主母線室１２と、ケーブル室１３が区画され、実施の形態１と同様の複合ＣＴ一体３相絶縁サポート４、及び３相絶縁サポート６３の前方側には、例えば絶縁樹脂材料などによって形成された図９に示すブッシング４５が装着されている。ブッシング４５の前面には、遮断器２が盤外に引き出された時に導体４１を遮蔽するシャッタ１４が設けられている。
【００２４】
図９に示すようにブッシング４５には、３本の導体４１（図２に図示）の周りを個別に包囲する如く形成された有底筒状で開口部を前面側に向けた３つの導体包囲部４５１が設けられ、導体包囲部４５１の底面部分には、図２に示すブッシング装着部Ａに装着する際に、平板直線形状の導体４１を挿通させるためのスリット状の貫通孔４５１ａが設けられ、導体包囲部４５１の周囲には強度増加とシャッタ１４の引っかかり防止のための襞４５３が設けられている。貫通孔４５１ａの大きさは、導体４１の外周面と貫通孔４５１ａの内周面との間に隙間が形成されるようにしても良い。導体包囲部４５１は、導体４１の一端部の側と他端部の側を区分するように形成された板状の隔壁部４５２を半ば貫いたような状態で形成され、前記底面部分を含む突出部４５１ｂが図２に示すブッシング装着部Ａの長穴状の凹所内に進入する形で装着される。なお、ブッシング４５は３相絶縁サポート６３の側にも設置され、図１１に示すように固定フレーム６２に対して組み付けられる。その他の構成は実施の形態１と同様である。
【００２５】
上記のように構成された実施の形態２においては、複合ＣＴ一体３相絶縁サポート４に、ブッシング４５を着脱可能に装着するためのブッシング装着部Ａが設けられていることで、スイッチギヤの内部に遮蔽部材を設ける仕様と設けない仕様の双方に適宜対応することが可能となり、構成部品の種類を削減することができる。また、組立、分解も容易である。また、図１１のように、ブッシング４５を組み付けた際に、ブッシング４５に設けた導体４１を貫通させる貫通孔４５１ａの大きさを、導体４１と貫通孔４５１ａの間に隙間ができる寸法とした場合には、ブッシング４５と導体４１が直接接しないことで、ブッシングの「絶縁」の機能のために設けた沿面距離を延長するためのひだ(図２の４６)等を削除することが可能となるという効果が得られる。これは、ブッシング４５が汚損した場合に、導体４１から接地部までの絶縁破壊が起こりやすくなるため、従来のブッシングはひだ(図２の４６)等を設けて充電部から接地までの距離を大きく取っている。ブッシング４５と導体４１の間に空間ギャップを設ければ、この距離が短くできることから、上記ひだ等を省略できる。
【００２６】
実施の形態３．
図１２は本発明の実施の形態３による変流器支持装置である複合ＣＴ一体３相絶縁サポートを組み立てる前の支持部材となる変流器ケース、変流器コイル、及び零相変流器コイルを示す斜視図、図１３は図１２に示す複合ＣＴ一体３相絶縁サポートの変形例を示す斜視図、図１４は図１２に示す複合ＣＴ一体３相絶縁サポートの他の変形例を示す斜視図である。なお、この実施の形態３は、実施の形態１における図３に示す変流器ケース４２を、図１２〜図１４に示す変流器ケース４２Ａに変更し、実施の形態１と同様の変流器コイル４３及び零相変流器コイル４４を、例えば、３×ＣＴ＋ＺＣＴ（図１２）、３×ＣＴ＋３×ＣＴ（図１３）、２×ＣＴ＋３×ＣＴ（図１４）のように、適宜変更し得るように、ＣＴとＺＣＴの組合せを多様化し得るようにしたものである。
【００２７】
図１２において、複合ＣＴ一体３相絶縁サポート４Ａにおける支持部材である変流器ケース４２Ａは、変流器装着部４２ｃが、並設されている３相の各導体４１に対応して３つ並設されている。そして、零相変流器装着部４２ｄは、図３に示す零相変流器装着部４２ｂのように零相変流器コイル４４の内周面の一部をサポートする円弧状壁面部４２ｂ１と直線部の一部をサポートする壁面部４２ｂ２が設けられている形状とは異なり、零相変流器コイル４４の外周面のみをサポートし、内周面をサポートする前記壁面は除かれた状態で、変流器装着部４２ｃに変流器４３を３つまたは２つ装着した後の空間部分を利用して構成されている。その他の構成は実施の形態１と同様である。
【００２８】
上記図１２のように構成された実施の形態３においては、変流器ケース４２Ａに変流器装着部４２ｃが３相の導体４１に対応されてそれぞれ設けられているので、変流器コイル４３を３本の導体４１にそれぞれ装着し、更に零相変流器コイル４４を零相変流器装着部４２ｄに装置することも可能となる。また、同一の支持部材４２Ａを用いて、図１３の変形例に示すように３×ＣＴ＋３×ＣＴのように用いた複合ＣＴ一体３相絶縁サポート４Ｂとして構成し、あるいは図１４の他の変形例に示すように２×ＣＴ＋３×ＣＴのように用いた複合ＣＴ一体３相絶縁サポート４Ｃとして構成することも可能である。更に図示はしていないが、３×ＣＴのみ、２×ＣＴのみ、３×ＣＴを３セットのような組み合わせとすることもできる。更に、これらのＣＴは一次側を広域に変更できるＣＴとしても良い。
【００２９】
上記のように実施の形態３によれば、変流器装着部４２ｃが、並設されている３相の各導体４１に対応して３つ並設されている支持部材４２Ａを用いるようにしたことで、実施の形態１、２の効果に加えて、複数の変流器コイル４３を様々な態様に組み合わせたものとすることが可能となるので、広範な要求に対応して簡単かつ容易に組み立てることができるという効果が得られる。
なお、本発明は、その発明の範囲内において、各実施の形態の一部または全部を自由に組合せたり、各実施の形態を適宜、変形、省略することが可能である。
【符号の説明】
【００３０】
１  筐体、１１  遮蔽部材、１２  主母線室、１３  ケーブル室、
１４  シャッタ、２  遮断器、２ａ  接続端子、３  遮断器室（収容部）、
４、４Ａ、４Ｂ、４Ｃ  複合ＣＴ一体３相絶縁サポート、４１  導体、
４１ａ  第１の接続部、４１ｂ  第２の接続部、
４２、４２Ａ  支持部材（変流器ケース）、４２ａ  変流器装着部、
４２ｂ  零相変流器装着部、４２ｂ１  円弧状壁面部、４２ｂ２  壁面部、
４２ｃ  変流器装着部、４２ｄ  零相変流器装着部、４３  変流器コイル、
４４  零相変流器コイル、４５  ブッシング、４５１  導体包囲部、
４５１ａ  貫通孔、４５１ｂ  突出部、４５２  隔壁部、４５３  襞、
４６  ひだ、５１  高圧ケーブル、５２  共通母線、５３  分岐母線、
６１  ガイドレール、６２  固定フレーム、６３  ３相絶縁サポート、
６４  導体、Ａ  ブッシング装着部。
【図１】
2015064118.tif 000003
【図２】
2015064118.tif 000004
【図３】
2015064118.tif 000005
【図４】
2015064118.tif 000006
【図５】
2015064118.tif 000007
【図６】
2015064118.tif 000008
【図７】
2015064118.tif 000009
【図８】
2015064118.tif 000010
【図９】
2015064118.tif 000011
【図１０】
2015064118.tif 000012
【図１１】
2015064118.tif 000013
【図１２】
2015064118.tif 000014
【図１３】
2015064118.tif 000015
【図１４】
2015064118.tif 000016
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
それぞれ一端部に第１の接続部と他端部に第２の接続部とを有し、互いに離間して直線形状に並設された３本の導体と、前記３本の導体を前記一端部及び前記他端部の間で一体的に絶縁支持する変流器ケースとを備え、前記変流器ケースの前端面に、長穴状に形成された凹所を有するブッシング装着部が設けられ、このブッシング装着部に、前記導体を挿通させると共に前記導体を絶縁支持するブッシングを着脱可能に装着するようにし、前記ブッシングは、それぞれ前記３本の導体の周りを個別に包囲する導体包囲部と、前記導体包囲部の底面部分に設けられ前記ブッシング装着部への装着の際に前記導体を挿通させる貫通孔とを備え、前記導体の外周面と前記ブッシングに設けられた前記貫通孔の内周面との間に隙間が形成されるようにしたことを特徴とする変流器支持装置。
【請求項２】
前記変流器ケースは、前記３本の導体のうち少なくとも２本の導体に対応する位置に形成され、前記導体を挿通させるように構成されたリング状の変流器コイルを装着する変流器装着部を備え、前記変流器ケースと、前記変流器装着部に装着された前記変流器コイルとが硬化性絶縁材料によって一体化されていることを特徴とする請求項１に記載の変流器支持装置。
【請求項３】
前記変流器ケースは、更に前記変流器装着部より電源側に配置され、前記３本の導体を一括して挿通させるように構成されたリング状の零相変流器コイルを装着する零相変流器装着部を備え、前記零相変流器装着部に装着された前記零相変流器コイルと前記変流器ケースとが硬化性絶縁材料によって一体化されていることを特徴とする請求項２に記載の変流器支持装置。
【請求項４】
前記導体包囲部の周囲に複数個設けられたひだ部を備えたことを特徴とする請求項１から３のいずれか１項に記載の変流器支持装置。
【請求項５】
前記変流器ケースは、３相の各導体に対応して並設されている変流器装着部を備えたことを特徴とする請求項１から３のいずれか１項に記載の変流器支持装置。
【請求項６】
筐体と、前記筐体の内部に引出形の電気機器を収容する収容部と、前記収容部の後方部に、前記電気機器の背面部に設けられた接続端子に対向するように設置されて、前記電気機器の出し入れに伴う移動によって前記接続端子に対して離接する導体を有する請求項１から５のいずれか１項に記載の変流器支持装置と、を備えたことを特徴とするスイッチギヤ。
【請求項７】
前記収容部は前記筐体の内部に上下方向多段に設けられ、それぞれの収容部内の電気機器には三相分の３本の導体によって構成される接続端子を備えることを特徴とする請求項６に記載のスイッチギヤ。
【請求項８】
前記三相分の３本の導体は電気機器の背面部の上下に分離されて一対設けられており、前記変流器支持装置は上段の電気機器の上側の接続端子および下段の電気機器の下側の接続端子にそれぞれ対応した位置に設けたことを特徴とする請求項７に記載のスイッチギヤ。
【国際調査報告】
2015064118.tif 000017
2015064118.tif 000018
2015064118.tif 000019
2015064118.tif 000020